(57)【要約】【課題】ブームに対するジブの取付作業を容易に行うことのできる移動式クレーンのジブ取付方法を提供する。【解決手段】補助巻き上げ装置２のワイヤロープ２ａをジブ２０の先端側まで通した状態で、主巻き上げ装置１のワイヤロープ１ａによってジブ２０の基端側を持ち上げて、伸縮ブーム１０にジブ２０を連結する。【選択図】図４
2016185843.tif 000002
【特許請求の範囲】
【請求項１】
複数の巻き上げ装置を備えた移動式クレーンのブームに起伏動作が可能なジブを取り付ける移動式クレーンのジブ取付方法であって、
一の巻き上げ装置のワイヤロープをジブの先端側まで通した状態で、他の巻き上げ装置のワイヤロープによってジブの基端側を持ち上げて、ブームにジブを連結する
ことを特徴とする移動式クレーンのジブ取付方法。
【請求項２】
他の巻き上げ装置のワイヤロープは、先端部がジブの基端側に接続されている
ことを特徴とする請求項１に記載の移動式クレーンのジブ取付方法。
【請求項３】
一の巻き上げ装置は、補助巻き上げ装置であり、
他の巻き上げ装置は、主巻き上げ装置である
ことを特徴とする請求項１または２に記載の移動式クレーンのジブ取付方法。
【発明の詳細な説明】
【技術分野】
【０００１】
本発明は、移動式クレーンのブームの先端部に対して、地面に載置された状態のジブを取り付けるための移動式クレーンのジブ取付方法に関するものである。
【背景技術】
【０００２】
従来の移動式クレーンのジブ取付方法としては、移動式クレーンの前方の地面に、基端部を移動式クレーン側に向けてジブを載置し、地面に載置されたジブの先端部に巻き上げ装置のワイヤロープの端部を連結するとともに、ジブの先端部に連結されたワイヤロープの中間部をジブの基端部に設けられたワイヤ係止部に係止した状態で、巻き上げ装置によってジブの基端側を持ち上げ、ブームの前端部にジブを連結するようにしたものが知られている（例えば、特許文献１参照）。
【先行技術文献】
【特許文献】
【０００３】
【特許文献１】特開２００６−３４１９３９号公報
【発明の概要】
【発明が解決しようとする課題】
【０００４】
前記ジブ取付方法では、ワイヤロープの端部がジブの先端部に固定されるとともに、ワイヤロープの中間部がワイヤ係止部に係止されているため、ブームの前端部に対するジブの取り付けが完了した後に、ワイヤロープを繰り出して、ワイヤロープの端部をジブの先端部から取り外すとともに、ワイヤロープの中間部をワイヤ係止部から取り外す作業が生じる。
【０００５】
本発明の目的とするところは、ブームに対するジブの取付作業を容易に行うことのできる移動式クレーンのジブ取付方法を提供することにある。
【課題を解決するための手段】
【０００６】
本発明は、前記目的を達成するために、複数の巻き上げ装置を備えた移動式クレーンのブームに起伏動作が可能なジブを取り付ける移動式クレーンのジブ取付方法であって、一の巻き上げ装置のワイヤロープをジブの先端側まで通した状態で、他の巻き上げ装置のワイヤロープによってジブの基端側を持ち上げて、ブームにジブを連結する。
【０００７】
これにより、ジブによるクレーン作業に使用されないワイヤロープによって、地面に載置されたジブの基端側が持ち上げられることから、ジブによるクレーン作業に使用されるワイヤロープをジブに連結することなくジブの先端側に通すことが可能となる。
【発明の効果】
【０００８】
本発明によれば、ブームの先端部に対するジブの取付作業の際に、ジブによるクレーン作業に用いられるワイヤロープをジブに連結することなくジブの先端側に通すことが可能となるので、ワイヤロープとジブとの連結や連結の解除といった作業工数を低減することが可能となり、ブームに対するジブの取付作業を容易に行うことが可能となる。
【図面の簡単な説明】
【０００９】
【図１】本発明の一実施形態を示すジブが取り付けられた伸縮ブームの要部側面図である。
【図２】伸縮ブームにジブを取り付ける方法を説明する図である。
【図３】伸縮ブームにジブを取り付ける方法を説明する図である。
【図４】伸縮ブームにジブを取り付ける方法を説明する図である。
【図５】伸縮ブームにジブを取り付ける方法を説明する図である。
【図６】伸縮ブームにジブを取り付ける方法を説明する図である。
【発明を実施するための形態】
【００１０】
図１乃至図６は、本発明の一実施形態を示すものである。
【００１１】
本発明のジブ取付方法は、主巻き上げ装置１及び補助巻き上げ装置２を有する移動式クレーンの伸縮ブーム１０にジブ２０を取り付ける方法である。また、本実施形態では、図１に示すように、伸縮ブーム１０の先端部とジブ２０の基端部との間に、ジブ取付用アダプタ３０が介装されている。
【００１２】
尚、伸縮ブーム１０は、移動式クレーンの車体に対して起伏動作を行うものであるが、本実施形態の説明では、伸縮ブーム１０の伸縮方向を水平方向に向けた状態を基準として上下方向の記載を行うとともに、伸縮ブーム１０の伸縮方向の基端部側から先端部側に向かう方向を前方と定義し、先端部側から基端部側に向かう方向を後方と定義して記載する。
【００１３】
伸縮ブーム１０は、筒状に形成された複数のブーム部材によって構成されたテレスコピック機構によって伸縮自在となっており、図示しない油圧式のシリンダによって伸縮動作を行う。また、伸縮ブーム１０の最先端側に位置するブーム部材の先端部には、図１に示すように、上下方向に延びるブームヘッド１１が設けられている。
【００１４】
また、ブームヘッド１１の幅方向両側面の上部及び下部には、ジブ取付用アダプタ３０を連結可能な連結ブラケット１１ａが設けられている。連結ブラケット１１ａには、連結ピンが上下方向に挿通されるピン挿通孔が設けられている。
【００１５】
ジブ２０は、図１に示すように、ジブ取付用アダプタ３０に連結されるジブベース２１と、ジブベース２１に対して起伏自在に設けられたジブ本体２２と、を有し、油圧式のチルトシリンダ２３によって起伏動作を行う。ジブ本体２２は、筒状に形成された複数のブーム部材によって構成されたテレスコピック機構によって伸縮自在となっており、図示しない油圧式のシリンダによって伸縮動作を行う。また、ジブベース２１の上面及びジブ本体２２の先端部には、補助巻き上げ装置２のワイヤロープ２ａを案内するためのジブ作業用シーブ２４，２５が設けられている。ジブベース２１の上面に設けられたジブ作業用シーブ２４は、ジブベース２１に対して前後方向に回動自在に支持されたシーブ支持部材２６の先端部に支持されており、ジブベース２１の上方に張り出す張出姿勢と、ジブベース２１の上面において後方に傾倒した格納姿勢と、の切り換えが可能である。また、ジブ本体２２の先端側には、ジブ２０の後端側を持ち上げた状態で地面を移動させるためのジブローラ２７が設けられている。
【００１６】
また、ジブベース２１の幅方向両側の上部及び下部には、ジブ取付用アダプタ３０に連結可能な連結部２１ａが設けられている。連結部２１ａには、連結ピンがジブ２０の幅方向に挿通されるピン挿通孔が設けられている。
【００１７】
ジブ取付用アダプタ３０は、ブームヘッド１１に設けられた連結ブラケット１１ａの連結ピンの挿通方向に対して、ジブベース２１に設けられた連結部２１ａの連結ピンの挿通方向が異なる場合に用いられる。
【００１８】
ジブ取付用アダプタ３０は、図１に示すように、ブームヘッド１１の先端面及び先端側の側面を上下方向に渡って覆うアダプタ本体３１と、ジブ２０の着脱作業時にジブ２０を吊り下げるワイヤロープを案内するためのジブ着脱用シーブ３２と、アダプタ本体３１の上面から上方に延びるように設けられ、ジブ着脱用シーブ３２を回転自在に支持するためのシーブ支持部材３３と、を有している。
【００１９】
アダプタ本体３１におけるブームヘッド１１に対向する面側には、幅方向両側の上部及び下部のそれぞれに設けられ、ブームヘッド１１に設けられた連結ブラケット１１ａに連結可能なブーム側ブラケット３１ａが設けられている。ブーム側ブラケット３１ａには、連結ピンが上下方向に挿通される挿通孔が設けられている。
【００２０】
また、アダプタ本体３１におけるジブ２０が取り付けられる面側には、幅方向両側の上部及び下部のそれぞれに設けられ、ジブベース２１に設けられた連結部２１ａに連結可能なジブ側ブラケット３１ｂが設けられている。ジブ側ブラケット３１ｂには、連結ピンが幅方向に挿通される挿通孔が設けられている。
【００２１】
以上のように構成された伸縮ブーム１０、ジブ２０及びジブ取付用アダプタ３０において、伸縮ブーム１０にジブ２０を取り付ける方法について説明する。
【００２２】
まず、伸縮ブーム１０の前方の地面に、ジブベース２１を移動式クレーン側に向けるとともに、ジブ本体２２の伸縮方向を前後方向に向けて載置する。
【００２３】
次に、図２に示すように、ブームヘッド１１にジブ取付用アダプタ３０を取り付ける。
【００２４】
ブームヘッド１１にジブ取付用アダプタ３０を取り付けた状態で、図３に示すように、ジブ作業用シーブ２４を張出姿勢とし、主巻き上げ装置１のワイヤロープ１ａをジブ取付用アダプタ３０のジブ着脱用シーブ３２に巻き掛けるとともに、ワイヤロープ１ａの先端部をジブ２０のジブベース２１に設けられたリンク部材２１ｂに連結する。
【００２５】
また、ブームヘッド１１にジブ取付用アダプタ３０を取り付けた状態で、図３に示すように、補助巻き上げ装置２のワイヤロープ２ａを、ジブ作業用シーブ２４，２５に巻き掛けるとともに、ジブ２０の先端部まで通す。
【００２６】
補助巻き上げ装置２のワイヤロープ２ａをジブ２０の先端部まで通した後、図４に示すように、主巻き上げ装置１を駆動させてワイヤロープ１ａを巻き上げることでジブ２０の後端側を持ち上げ、ジブ２０のジブベース２１の下部に設けられた連結部２１ａを、連結ピンによってアダプタ本体３１のジブ側ブラケット３１ｂに連結する。
【００２７】
ジブベース２１の下部に設けられた連結部２１ａをアダプタ本体３１のジブ側ブラケット３１ｂに連結した状態で、図５に示すように、ジブ２０のチルトシリンダ２３を縮小させてジブ本体２２の先端部を伸縮ブーム１０側に移動させることで、ジブベース２１の上部側をアダプタ本体３１側に移動させ、図６に示すように、ジブベース２１の上部に設けられた連結部２１ａを、連結ピンによってアダプタ本体３１の上部のジブ側ブラケット３１ｂに連結する。
【００２８】
アダプタ本体３１の全てのジブ側ブラケット３１ｂにジブベース２１の連結部２１ａを連結させた後、主巻き上げ装置１のワイヤロープ１ａの先端部を、図１に示すように、ジブベース２１に設けられたリンク部材２１ｂから取り外して、伸縮ブーム１０の最基端側のブーム部材に係止する。
【００２９】
このように、本実施形態の移動式クレーンのジブ取付方法によれば、補助巻き上げ装置２のワイヤロープ２ａをジブ２０の先端側まで通した状態で、主巻き上げ装置１のワイヤロープ１ａによってジブ２０の基端側を持ち上げて、伸縮ブーム１０にジブ２０を連結する。
【００３０】
これにより、伸縮ブーム１０の先端部に対するジブ２０の取付作業の際に、ジブ２０によるクレーン作業に用いられるワイヤロープ２ａをジブ２０に連結することなくジブ２０の先端側に通すことが可能となるので、ワイヤロープ２ａとジブ２０との連結や連結の解除といった作業工数を低減することが可能となり、伸縮ブーム１０に対するジブ２０の取付作業を容易に行うことが可能となる。
【００３１】
また、主巻き上げ装置１のワイヤロープ１ａは、先端部がジブ２０の基端側に接続されている。
【００３２】
これにより、従来のジブ取付方法である、地面に載置されたジブの先端部に巻き上げ装置のワイヤロープの端部を連結するとともに、ジブの先端部に連結されたワイヤロープの中間部をジブの基端部に設けられたワイヤ係止部に係止してジブの基端側を持ち上げる場合と比較して、ワイヤロープに過大な張力が作用することがないので、ワイヤロープの耐久性を向上することが可能となる。
【００３３】
尚、前記実施形態では、伸縮ブーム１０の先端部にジブ取付用アダプタ３０を取り付け、ジブ取付用アダプタ３０にとジブ２０を取り付けるものを示したが、伸縮ブームの先端部に直にジブを取り付けるものに対しても本発明を適用可能である。
【符号の説明】
【００３４】
１…主巻き上げ装置、１ａ…ワイヤロープ、２…補助巻き上げ装置、２ａ…ワイヤロープ、１０…伸縮ブーム、２０…ジブ。
【図１】
2016185843.tif 000003
【図２】
2016185843.tif 000004
【図３】
2016185843.tif 000005
【図４】
2016185843.tif 000006
【図５】
2016185843.tif 000007
【図６】
2016185843.tif 000008